(57)【要約】  本発明は、ユーザー定義ソフトホーンを用いたインターネット電話サービスシステムおよび方法を提供する。このインターネット電話サービスシステムは、Ｗｅｂページを介して入力された情報に基づいてユーザー定義ソフトホーンを生成し、前記ユーザー定義ソフトホーンを用いたインターネット電話通話を連結するサービスシステムと、サービスシステムに情報を入力してユーザー定義ソフトホーンの生成を要請し、その生成されたユーザー定義ソフトホーンを実行ファイルの形でダウンロードし或いはＷｅｂページ上にＵＲＬコードの形でリンクさせる生成者と、前記ユーザー定義ソフトホーンをＰＣ環境で実行ファイルの形で使用し、或いはＷｅｂページ上にリンクされた前記ＵＲＬコードをクリックしてインターネット電話通話を行うユーザーとを含んでなる。
2010523038.tif 000002
【特許請求の範囲】
【請求項１】
Ｗｅｂページを介して入力された情報に基づいてユーザー定義ソフトホーンを生成し、前記ユーザー定義ソフトホーンを用いたインターネット電話通話を連結するサービスシステムと、
サービスシステムに情報を入力してユーザー定義ソフトホーンの生成を要請し、その生成されたユーザー定義ソフトホーンを実行ファイルの形でダウンロードし或いはＷｅｂページ上にＵＲＬコードの形でリンクさせる生成者と、
前記ユーザー定義ソフトホーンをＰＣ環境で実行ファイルの形で使用し、或いはＷｅｂページ上にリンクされた前記ＵＲＬコードをクリックしてインターネット電話通話を行うユーザーとを含んでなることを特徴とする、ユーザー定義ソフトホーンを用いたインターネット電話サービスシステム。
【請求項２】
前記サービスシステムは、
ユーザー定義ソフトホーンの生成情報が入力される生成用Ｗｅｂページ、およびユーザー定義ソフトホーンを実行ファイルの形でＰＣにダウンロードし或いはＷｅｂページ上で使用できるように、ユーザー定義ソフトホーンの実行環境情報をリソースとするＵＲＬコードを提供し、生成されたユーザー定義ソフトホーンを修正することを可能な管理用Ｗｅｂページを提供するＷｅｂサーバーと、
前記生成および管理用Ｗｅｂページを介して入力される情報に基づいてユーザー定義ソフトホーンを生成する生成サーバーと、
ユーザー定義ソフトホーンの構成および実行のための実行環境情報が格納されるＤＢと、
ユーザー定義ソフトホーンの実行ファイルが格納される格納サーバーと、
ユーザー定義ソフトホーンを用いたインターネット電話通話を支援する通信システムとを含むことを特徴とする、請求項１に記載のユーザー定義ソフトホーンを用いたインターネット電話サービスシステム。
【請求項３】
前記サービスシステムは、
プラグインエンジンのダウンロード機能を提供するプラグインダウンロードサーバーをさらに含むことを特徴とする、請求項２に記載のユーザー定義ソフトホーンを用いたインターネット電話サービスシステム。
【請求項４】
テンプレートページからなる生成および管理用Ｗｅｂページを提供し、且つ前記生成および管理用Ｗｅｂページを介して入力されるユーザー定義ソフトホーンの生成および修正情報をサービスシステムへ伝送するＷｅｂサービスシステムをさらに含むことを特徴とする、請求項１に記載のユーザー定義ソフトホーンを用いたインターネット電話サービスシステム。
【請求項５】
前記ユーザー定義ソフトホーンは、
ユーザー定義ソフトホーンの外部ディスプレイを形成するＵＩディスプレイ部と、
ユーザー定義ソフトホーンの構成および実行情報を含む実行環境情報と、
前記実行環境情報をリソースとするＵＲＬを呼び出して処理するＵＲＬ処理部、前記ＵＩディスプレイ部に入力された通話情報に基づいてインターネット電話通信を連結するインターネット電話モジュール、および前記ＵＩディスプレイ部と前記インターネット電話モジュール間の相互連動のためのプラットフォームから構成されるプラグインエンジンとを含んでなることを特徴とする、請求項１〜４のいずれか１項に記載のユーザー定義ソフトホーンを用いたインターネット電話サービスシステム。
【請求項６】
前記ＵＩディスプレイ部はフラッシュからなることを特徴とする、請求項５に記載のユーザー定義ソフトホーンを用いたインターネット電話サービスシステム。
【請求項７】
生成者がユーザー定義ソフトホーンを実行ファイルの形でダウンロードする場合、
前記プラグインエンジンのみをダウンロードし、或いは
前記ＵＩディスプレイ部、前記実行環境情報および前記プラグインエンジンが全て含まれているフルタイプの実行ファイルをダウンロードすることを特徴とする、請求項５に記載のユーザー定義ソフトホーンを用いたインターネット電話サービスシステム。
【請求項８】
ユーザーがフルタイプの実行ファイル形態のユーザー定義ソフトホーンを用いる場合、
前記実行ファイルに含まれた実行環境情報のバージョンとサービスシステムに格納された実行環境情報のバージョンとを比較し、フルタイプの実行ファイルの実行環境情報が、サービスシステムに格納された実行環境情報にアップデートされることを特徴とする、請求項７に記載のユーザー定義ソフトホーンを用いたインターネット電話サービスシステム。
【請求項９】
ユーザーがＷｅｂページ上にリンクされたＵＲＬコードをクリックしてユーザー定義ソフトホーンを用いる場合、
ユーザーのＰＣにプラグインエンジンが設置されているかを確認し、もしユーザーのＰＣにプラグインエンジンが設置されていなければ、ユーザーのＰＣにサービスシステムからプラグインエンジンをダウンロードして設置し、
前記ＵＲＬコードが、ユーザーのＰＣに設置されたプラグインエンジンに、該当ユーザー定義ソフトホーンの実行環境情報を呼び出すことが可能なＵＲＬ情報を伝達し、
前記プラグインエンジンが該当ＵＲＬ情報を介して当該ユーザー定義ソフトホーンの実行環境情報を呼び出して処理した後、当該ユーザー定義ソフトホーンが実行されることを特徴とする、請求項５に記載のユーザー定義ソフトホーンを用いたインターネット電話サービスシステム。
【請求項１０】
生成者が実行ファイル構造のユーザー定義ソフトホーンの生成のための情報をサービスシステムに入力する段階と、
サービスシステムが前記生成者の入力情報に基づいてユーザー定義ソフトホーンを生成する段階と、
生成者が前記生成されたユーザー定義ソフトホーンを実行ファイルの形でダウンロードし或いはＷｅｂページ上にＵＲＬコードの形でリンクさせる段階と、
ユーザーが前記ユーザー定義ソフトホーンをＰＣ環境で実行ファイルの形で使用し、或いはＷｅｂページ上にリンクされた前記ＵＲＬコードをクリックしてインターネット電話通話を行う段階とを含んでなる、ユーザー定義ソフトホーンを用いたインターネット電話サービス方法。
【請求項１１】
生成者がユーザー定義ソフトホーンの生成情報を入力する段階は、
ユーザー定義ソフトホーンのファイル名を設定する段階と、
ユーザー定義ソフトホーンの受信者を生成者に制限する方式、および受信者を制限しない方式の中からいずれか一つを選択する段階と、
前記受信者を生成者に制限する場合、受信される生成者の電話番号を入力する段階と、
相手の電話機に表示されるユーザー定義ソフトホーンの発信番号を入力する段階と、
ＰＣ画面に表示されるユーザー定義ソフトホーンのディスプレイ構成を設定する段階と、
ユーザー定義ソフトホーンの生成費用および通話費用を決済する段階とを含むことを特徴とする、請求項１０に記載のユーザー定義ソフトホーンを用いたインターネット電話サービス方法。
【請求項１２】
ユーザー定義ソフトホーンの利用を制限するためのパスワードを設定する段階をさらに含むことを特徴とする、請求項１０に記載のユーザー定義ソフトホーンを用いたインターネット電話サービス方法。
【請求項１３】
生成者がユーザー定義ソフトホーンの修正のための情報をサービスシステムに入力する段階と、
前記生成者によって入力された修正情報に基づいて、サービスシステムに格納されたユーザー定義ソフトホーンをアップデートする段階とをさらに含むことを特徴とする、請求項１０に記載のユーザー定義ソフトホーンを用いたインターネット電話サービス方法。
【請求項１４】
前記ユーザー定義ソフトホーンは、
ユーザー定義ソフトホーンのＵＩイメージを形成するＵＩディスプレイ部と、
ユーザー定義ソフトホーンの構成および実行情報を含む実行環境情報と、
前記実行環境情報をリソースとするＵＲＬを呼び出して処理するＵＲＬ処理部、前記ＵＩディスプレイ部に入力された通話情報に基づいてインターネット電話通信を連結するインターネット電話モジュール、および前記ＵＩディスプレイ部と前記インターネット電話モジュール間の相互連動のためのプラットフォームから構成されるプラグインエンジンとを含むことを特徴とする、請求項１０〜１３のいずれか１項に記載のユーザー定義ソフトホーンを用いたインターネット電話サービス方法。
【請求項１５】
生成者がユーザー定義ソフトホーンを実行ファイルの形でダウンロードする場合、
前記プラグインエンジンのみをダウンロードするか、或いは前記ＵＩディスプレイ部、前記実行環境情報および前記プラグインエンジンが全て含まれているフルタイプの実行ファイルをダウンロードするかを選択する段階をさらに含むことを特徴とする、請求項１４に記載のユーザー定義ソフトホーンを用いたインターネット電話サービス方法。
【請求項１６】
ユーザーがフルタイプの実行ファイル形態のユーザー定義ソフトホーンを用いる場合、
前記ユーザー定義ソフトホーンの実行ファイルに含まれた実行環境情報のバージョンと、サービスシステムに格納された実行環境情報のバージョンとを比較し、実行ファイルの実行環境情報を、サービスシステムに格納された実行環境情報にアップデートする段階をさらに含むことを特徴とする、請求項１５に記載のユーザー定義ソフトホーンを用いたインターネット電話サービス方法。
【請求項１７】
ユーザーがプラグインエンジン形態のユーザー定義ソフトホーンを用いる場合、
ＵＲＬ処理部に入力されているＵＲＬ情報を介して該当ユーザー定義ソフトホーンの実行環境情報をサービスシステムから呼び出して処理した後、当該ユーザー定義ソフトホーンを実行する段階をさらに含むことを特徴とする、請求項１５に記載のユーザー定義ソフトホーンを用いたインターネット電話サービス方法。
【請求項１８】
ユーザーがＷｅｂページ上にリンクされたＵＲＬコードをクリックしてユーザー定義ソフトホーンを用いる場合、
ユーザーのＰＣにプラグインエンジンが設置されているかを確認し、もしユーザーのＰＣにプラグインエンジンが設定されていなければ、ユーザーのＰＣにサービスシステムからプラグインエンジンをダウンロードして設置する段階と、
前記ＵＲＬコードが、ユーザーのＰＣに設置されたプラグインエンジンに、該当ユーザー定義ソフトホーンの実行環境情報を呼び出すことが可能なＵＲＬ情報を伝達する段階と、
前記プラグインエンジンが該当ＵＲＬ情報を介して該当ユーザー定義ソフトホーンの実行環境情報を呼び出して処理した後、該当ユーザー定義ソフトホーンを実行する段階とをさらに含むことを特徴とする、請求項１４に記載のユーザー定義ソフトホーンを用いたインターネット電話サービス方法。
【発明の詳細な説明】
【技術分野】
【０００１】
本発明は、ユーザー定義ソフトホーンを用いたインタネット電話サービスシステムおよび方法に係り、さらに詳しくは、インターネット電話を用いるためのソフトホーンを一つの実行ファイルの形で構成することにより、所定の金額が予めチャージされているソフトホーンを他人へ容易に伝送することができ、且つ、生成者をして、自分の嗜好に合う様々なイメージとテキストが入力されたソフトホーンを生成するようにすることができる、ユーザー定義ソフトホーンを用いたインターネット電話サービスシステムおよび方法に関する。
【背景技術】
【０００２】
近年、急激な情報通信技術（ＩＣＴ）の発達に伴い、全世界のコンピュータは、インターネットを介して相互連結され、このようなインターネットを用いて様々なサービスが提供されている。これらサービスの中でも最も代表的なものがインターネット電話サービスである。
【０００３】
インターネット電話サービスは、ＶｏＩＰ(voice-over-internet protocol)技術を用いて音声データパケットをインターネットを介して伝送することにより、一般電話と同様に電話通話を可能にするが、通信料金が一般な有無線電話通信に比べて低廉なので、多くの人々がインターネット電話を使用している。
【０００４】
また、インターネット電話サービスでは、別途の電話通信ラインの代わりにインターネット網を介して電話通話がなされる。このようなインターネット電話サービスは、音声処理技術の発電および一般電話網との連動技術の発展などによって、ＰＣとＰＣ間の通信、ＰＣと有無線電話間の通信、有無線電話同士間の相互通信にも適用されている。
【０００５】
通常、インターネット電話サービスを利用するためには、インターネット電話送受信手段を用いなければならないが、このようなインターネット電話送受信手段には、ソフトウェア形式でＰＣに設置されるソフトホーンと、一般な有無線電話機のようにハードウェア機器に設置されるハードウェアホーンに区分できる。ここで、本発明はソフトウェア形式で提供されるソフトホーンに該当するものなので、以下ではソフトホーンを中心に説明する。
【０００６】
ソフトホーンを用いてインターネット電話を使用するためには、インターネット電話サービスシステムで提供するソフトホーンプログラムをＰＣにダウンロードして設置し、そのインターネット電話サービスシステムに会員として加入しなければならない。従来のソフトホーンプログラムは、インターネット電話接続のためのＰＣアプリケーションとして製作され、ＰＣに設置された後、使用される。
【０００７】
ところが、前述した従来のＰＣアプリケーションとして製作されるソフトホーンは、次の問題点を抱えている。
【０００８】
ユーザーは、従来のソフトホーンを用いてインターネット電話を使用するためには、必ずソフトホーンプログラムを自分のＰＣに設置し、且つインターネット電話サービスシステムに会員として加入されなければならない。したがって、１回のみインターネット電話を利用しようとするユーザーは、前記設置および会員加入などの過程を非常に厄介だと思ってインターネット電話の使用を忌避する。
【０００９】
また、従来のソフトホーンを用いたインターネット電話システムでは、全てのサービスユーザーが、サービスシステムから提供される画一化ソフトホーンを利用しなければならず、ユーザーが直接自分の嗜好に合うソフトホーンを生成することが源泉的に不可能である。
【００１０】
また、従来のソフトホーンを用いたインターネット電話システムでは、受信者負担方式でインターネット電話を使用することが難しい。
【発明の概要】
【発明が解決しようとする課題】
【００１１】
本発明の目的は、生成者が幾つかの環境設定（通話設定、ソフトホーンのＵＩ設定など）の入力のみによって最も容易且つ速く自分のみのソフトホーンを直接製作することができ、インターネットへの接続が可能な各種環境、例えばＰＣ環境やＷｅｂブラウザー環境などで該当ソフトホーンを容易に使用または配布することができるようにする、ユーザー定義ソフトホーンを用いたインターネット電話サービスシステムおよび方法を提供することにある。
【００１２】
また、本発明の他の目的は、受信者負担方式でインターネット電話を利用することを可能にする、ユーザー定義ソフトホーンを用いたインターネット電話サービスシステムおよび方法を提供することにある。
【００１３】
また、本発明の別の目的は、ソフトホーンのユーザーが別途の会員加入過程、またはＩＤやパスワード入力などの厄介な過程なしでソフトホーンを用いることを可能にする、ユーザー定義ソフトホーンを用いたインターネット電話サービスシステムおよび方法を提供することにある。
【課題を解決するための手段】
【００１４】
本発明のある観点によれば、ユーザー定義ソフトホーンを用いたインターネット電話サービスシステムを提供する。このインターネット電話サービスシステムは、Ｗｅｂページを介して入力された情報に基づいてユーザー定義ソフトホーンを生成し、前記ユーザー定義ソフトホーンを用いたインターネット電話通話を連結するサービスシステムと、サービスシステムに情報を入力してユーザー定義ソフトホーンの生成を要請し、その生成されたユーザー定義ソフトホーンを実行ファイルの形でダウンロードし或いはＷｅｂページ上にＵＲＬコードの形でリンクさせる生成者と、前記ユーザー定義ソフトホーンをＰＣ環境で実行ファイルの形で使用し、或いはＷｅｂページ上にリンクされた前記ＵＲＬコードをクリックしてインターネット電話通話を行うユーザーとを含んでなる。
【００１５】
ここで、前記サービスシステムは、ユーザー定義ソフトホーンの生成情報が入力される生成用Ｗｅｂページと、ユーザー定義ソフトホーンを実行ファイルの形でＰＣにダウンロードし、或いはＷｅｂページ上で使用できるようにユーザー定義ソフトホーンの実行環境情報をリソースとするＵＲＬコードを提供し、生成されたユーザー定義ソフトホーンを修正することが可能な管理用Ｗｅｂページを提供するＷｅｂサーバーと、前記生成および管理用Ｗｅｂページを介して入力される情報に基づいてユーザー定義ソフトホーンを生成する生成サーバーと、ユーザー定義ソフトホーンの構成および実行のための実行環境情報が格納されるＤＢと、ユーザー定義ソフトホーンの実行ファイルが格納される格納サーバーと、ユーザー定義ソフトホーンを用いたインターネット電話通話を支援する通信システムとを含むことを特徴とする。
【００１６】
また、前記ユーザー定義ソフトホーンは、ユーザー定義ソフトホーンの外部ディスプレイを形成するＵＩディスプレイ部と、ユーザー定義ソフトホーンの構成および実行情報を含む実行環境情報と、前記実行環境情報をリソースとするＵＲＬを呼び出して処理するＵＲＬ処理部、前記ＵＩディスプレイ部に入力された通話情報に基づいてインターネット電話通信を連結するインターネット電話モジュール、および前記ＵＩディスプレイ部と前記インターネット電話モジュール間の相互連動のためのプラットフォームから構成されるプラグインエンジンとを含んでなることを特徴とする。
【００１７】
本発明の他の観点によれば、ユーザー定義ソフトホーンを用いたインターネット電話サービス方法を提供する。このインターネット電話サービス方法は、生成者が実行ファイル形態のユーザー定義ソフトホーンの生成のための情報をサービスシステムに入力する段階と、サービスシステムが前記生成者の入力情報に基づいてユーザー定義ソフトホーンを生成する段階と、生成者が前記生成されたユーザー定義ソフトホーンを実行ファイルの形でダウンロードし或いはＷｅｂページ上にＵＲＬコードの形でリンクさせる段階と、ユーザーが前記ユーザー定義ソフトホーンをＰＣ環境で実行ファイルの形で使用し、或いはＷｅｂページ上にリンクされた前記ＵＲＬコードをクリックしてインターネット電話通話を行う段階とを含んでなる。
【発明の効果】
【００１８】
以上のように、本発明に係るインターネット電話サービスシステムおよび方法は、生成者が幾つかの環境設定（通話設定、ソフトホーンのＵＩ設定など）の入力のみによって最も容易且つ速く自分のみのソフトホーンを直接製作することができ、インターネットへの接続が可能な各種環境、例えばＰＣ環境やＷｅｂブラウザー環境などで該当ソフトホーンを容易に使用または配布することができるようにする。
【００１９】
また、本発明に係るインターネット電話サービスシステムおよび方法は、受信者負担方式でインターネット電話を利用することを可能にする。
【００２０】
さらに、本発明に係るインターネット電話サービスシステムおよび方法は、ソフトホーンのユーザーが別途の会員加入過程、またはＩＤやパスワード入力などの厄介な過程なしでソフトホーンを用いることを可能にする。
【図面の簡単な説明】
【００２１】
【図１】本発明に係るユーザー定義ソフトホーンの構成を示すブロック図である。
【図２】本発明に係るユーザー定義ソフトホーンの生成および修正のためのインターネット電話サービスシステムを示すブロック図である。
【図３】本発明に係るユーザー定義ソフトホーンの生成過程を示す順序図である。
【図４】本発明に係るユーザー定義ソフトホーンの修正過程を示す順序図である。
【図５】ＰＣ画面に表示されるユーザー定義ソフトホーンの外部ディスプレイを示す例示図である。
【図６】ＰＣ画面に表示されるユーザー定義ソフトホーンの外部ディスプレイを示す例示図である。
【図７】本発明に係るユーザー定義ソフトホーンの獲得および使用のためのインターネット電話サービスシステムを示すブロック図である。
【図８】本発明に係るユーザー定義ソフトホーンの獲得過程を示す順序図である。
【図９】本発明に係るユーザー定義ソフトホーンの使用過程を示す順序図である。
【図１０】本発明に係るユーザー定義ソフトホーンの獲得過程を示す例示図である。
【図１１】本発明に係るユーザー定義ソフトホーンの獲得過程を示す例示図である。
【図１２】本発明に係るユーザー定義ソフトホーンのＷｅｂページ挿入状態を示す例示図である。
【発明を実施するための形態】
【００２２】
以下、添付図面を参照して、本発明に係るユーザー定義ソフトホーンを用いたインターネット電話サービスシステムおよびインターネット電話サービス方法の好適な実施例について詳細に説明する。
【００２３】
図１には本発明に係るユーザー定義ソフトホーンの構成が示されており、図２には本発明に係るユーザー定義ソフトホーンの生成および修正過程を示すインターネット電話サービスシステムが示されている。図３および図４には本発明に係るユーザー定義ソフトホーンの生成過程および修正過程が示されている。図５および図６にはＰＣ画面に表示されるユーザー定義ソフトホーンの外部ディスプレイ構成が例示的に示されている。
【００２４】
本発明に係るユーザー定義ソフトホーンは、インターネット電話通話のためのソフトホーンの一種であって、図２のサービスシステム１０によって、生成者からの入力情報に基づいて、その生成者の嗜好に合う構成およびデザインで最も容易且つ速く生成されるソフトホーンを示す。また、生成者によって生成されたユーザー定義ソフトホーンは、実行ファイル（例えば、ＥＸＥファイル）の形で、或いはユーザー定義ソフトホーンの実行のための条件が含まれたＵＲＬコードの形で提供できる。この際、ユーザー定義ソフトホーンが実行ファイルの形で提供される場合には、電子メールやメッセンジャーなどを用いて、生成されたソフトホーンを他のユーザーに伝送することができ、ユーザー定義ソフトホーンがＵＲＬコードの形で提供される場合には、全てのＷｅｂページや文書などに当該ＵＲＬコードをリンクさせて使用することができる。前記ユーザー定義ソフトホーンは、インターネットへの接続が可能な環境、例えばＰＣ環境およびＷｅｂブラウザ環境などにおいても、生成者自身または多数のユーザーが使用し得るように構成される。
【００２５】
図１を参照すると、このようなユーザー定義ソフトホーンは、ＷｅｂブラウザまたはＰＣ環境で電話通話またはＳＭＳ機能を利用するためのソフトホーンの外部ディスプレイを形成するＵＩディスプレイ部と、前記ＵＩディスプレイ部の構成情報だけでなく、ユーザー定義ソフトホーンの全ての構成および実行情報を含む実行環境情報と、実行環境情報が存在するＵＲＬを呼び出して処理するＵＲＬ処理部と、前記ＵＩディスプレイ部に入力された通話情報に基づいてインターネット電話通信を連結するインターネット電話モジュールと、前記ＵＩディスプレイ部と前記インターネット電話モジュール間の相互連動のためにＵＩディスプレイ部およびインターネット電話モジュールとそれぞれ通信するプラットフォームとを含んでなる。
【００２６】
前記ＵＩディスプレイ部は、ＰＣ画面に表示されるユーザー定義ソフトホーンの外部ディスプレイに関する全ての構成を提供するものであって、様々な静的、動的イメージやアニメーション効果、音楽、動画像など、生成者がユーザー定義ソフトホーンを生成するにおいて多彩な外部ディスプレイを構成することができるようにフラッシュ(flash)からなることが好ましい。
【００２７】
前記インターネット電話通信を連結するためのインターネット電話モジュールは、従来のソフトホーンにおいてインターネット電話通信を連結するための手段と同様に構成される。但し、従来のソフトホーンにおいては、インターネット電話通信を連結するための手段と外部のディスプレイイメージを形成するＵＩとが一体に製作されて相互分離できないが、本発明に係るユーザー定義ソフトホーンにおいては、ＵＩディスプレイ部とインターネット電話モジュールとが別個に製作されて作動する。よって、本発明では、別個に制作されて作動する前記ＵＩディスプレイ部と前記インターネット電話モジュールを相互連動させるためのプラットフォームをさらに含んでなる。
【００２８】
前記実行環境情報には、ユーザー定義ソフトホーンの生成のために生成者が入力する各種情報、およびサービスシステム１０で前記生成者からの入力情報に基づいてユーザー定義ソフトホーンを生成する過程において設定される様々な情報が全て含まれる。すなわち、前記実行環境情報にはユーザー定義ソフトホーンの構成および実行のための全ての情報が含まれる。例えば、ユーザー定義ソフトホーンを生成する過程において生成者が入力する情報には、ユーザー定義ソフトホーンの発信番号および着信番号、ユーザー定義ソフトホーンの使用のためのパスワード、ユーザー定義ソフトホーンの外部ディスプレイを構成する各種情報などが含まれる。サービスシステム１０でユーザー定義ソフトホーンを生成する過程において設定される情報には、ユーザーログイン情報、インターネット電話利用のためのＰＩＮ(Personal Identification Number)などのユーザー認証情報、該当ソフトホーンの固有ＩＤ情報、バージョン情報などが含まれる。このような実行環境情報は、各ユーザー定義ソフトホーン毎に相異なるように構成でき、ユーザー定義ソフトホーンの生成後にも修正できる。
【００２９】
前記ＵＲＬ処理部は、前記実行環境情報が格納された位置を示すＵＲＬをサービスシステム１０から呼び出して処理する部分を示す。すなわち、ユーザーが本発明に係るユーザー定義ソフトホーンをクリックすると、前記ＵＲＬ処理部が実行環境情報を呼び出して処理することにより、ユーザー定義ソフトホーンが実行できる。
【００３０】
一方、前述したユーザー定義ソフトホーンの構成のうち、実行環境情報とＵＩディスプレイ部は、各ユーザー定義ソフトホーン毎に異なるように構成されるが、ＵＲＬ処理部、プラットフォームおよびインターネット電話モジュールは全てユーザー定義ソフトホーンで同様に構成されて作動する。よって、本発明では、全てのユーザー定義ソフトホーンで同様に構成されるＵＲＬ処理部、プラットフォームおよびインターネット電話モジュールを一つの統合モジュールの形で構成し、これをプラグインエンジンとして定義する。よって、本発明に係るユーザー定義ソフトホーンは、実行環境情報、ＵＩディスプレイ部およびプラグインエンジンを含んでなる。
【００３１】
一方、本発明に係るインターネット電話サービスシステムおよび方法において、生成者／ユーザーは、実行環境情報、ＵＩディスプレイ部およびプラグインエンジンが全て一つの実行ファイルに含まれるフルタイプの実行ファイルを自分のＰＣに設置して使用することもでき、プラグインエンジンのみを自分のＰＣに設置して使用することもできる。
【００３２】
フルタイプの実行ファイルを自分のＰＣに設置して使用する場合には、生成者またはユーザーが、フルタイプの実行ファイルからなるユーザー定義ソフトホーンをクリックすると、直ちにインターネット電話通話が可能になる。
【００３３】
これに対し、プラグインエンジンのみを自分のＰＣに設置して使用する場合には、生成者またはユーザーが、プラグインエンジンからなるユーザー定義ソフトホーンをクリックすると、ＵＲＬ処理部が、サービスシステム１０に格納された実行環境情報を呼び出して処理することにより、インターネット電話通話が可能になる。このようなプラグインエンジンは、全てのソフトホーンに共通に含まれる構成なので、生成者／ユーザーが自分のＰＣに一度だけ前記プラグインエンジンを設置すると、様々な種類のユーザー定義ソフトホーンを使用する場合にも別途にプラグインエンジンを再び設置する必要がない。
【００３４】
前記フルタイプの実行ファイルを用いる場合には、ソフトホーンの完全な構成および実行のための全ての情報が一つのファイルに含まれているため、ファイルの容量は多少大きくなるが、別途に実行環境情報を呼び出す必要がないので、速い実行および使用を期待することができる。これに対し、前記プラグインエンジンを用いる場合には、実行環境情報を呼び出して処理する過程において多少長い実行時間が予想されることもあるが、少ないファイル容量によりさらに効率的な伝送が可能になる。
【００３５】
ユーザー定義ソフトホーンを生成するためのインターネット電話サービスシステムは、次のとおり構成される。本発明に係るユーザー定義ソフトホーンを用いたインターネット電話サービスシステムは、Ｗｅｂページを介して入力された情報に基づいてユーザー定義ソフトホーンを生成し、前記ユーザー定義ソフトホーンを用いたインターネット電話通話を連結するサービスシステム１０と、サービスシステム１０に、ユーザー定義ソフトホーンの生成に必要な情報を入力してユーザー定義ソフトホーンの生成を要請し、その生成されたユーザー定義ソフトホーンを実行ファイルの形でダウンロードし或いはＷｅｂエージ上にＵＲＬコードの形でリンクさせる生成者と、前記ユーザー定義ソフトホーンをＰＣ環境で実行ファイルの形で使用し、或いはＷｅｂページ上にリンクされた前記ＵＲＬコードをクリックしてインターネット電話通話を行うユーザーとを含んでなる。
【００３６】
図２を参照すると、前記サービスシステム１０は、生成者がユーザー定義ソフトホーンの生成のための各種情報を入力することができるようにＷｅｂページを提供するＷｅｂサーバー１１と、前記Ｗｅｂページ１２を介して入力される情報に基づいてユーザー定義ソフトホーンを生成する生成サーバー１３と、Ｗｅｂページ１２を介して生成者が入力する情報、および生成サーバー１３でユーザー定義ソフトホーンを生成する過程で設定される情報、すなわちユーザー定義ソフトホーンの構成および実行のための全ての情報を含む実行環境情報が格納されるＤＢ１５と、生成サーバー１３で生成されたユーザー定義ソフトホーンの実行ファイルが格納される格納サーバー１４と、ユーザー定義ソフトホーンを用いたインターネット電話通話を支援する通信システム１７とを含んでなる。この際、前記格納サーバー１４に格納される実行ファイルの位置情報も前記実行環境情報に含まれる。
【００３７】
ここで、前記Ｗｅｂサーバー１１は、生成者がユーザー定義ソフトホーンの生成のための情報を入力する生成用Ｗｅｂページと、ユーザー定義ソフトホーンを実行ファイルの形でＰＣにダウンロードし或いはＷｅｂページ上で使用できように、ユーザー定義ソフトホーンの実行環境情報をリソースとするＵＲＬコードを提供し、生成されたユーザー定義ソフトホーンを修正することが可能な管理用Ｗｅｂページとを提供する。前記生成用Ｗｅｂページおよび管理用Ｗｅｂページ１２は全てテンプレートページからなることが好ましい。
【００３８】
また、本発明に係るサービスシステム１０は、ユーザー定義ソフトホーンのプラグインエンジンを提供するプラグインダウンロードサーバー１６をさらに含んでなる。
【００３９】
本発明に係るインターネット電話サービスシステムは、ユーザー定義ソフトホーンを生成および管理するためのＷｅｂページ１２をテンプレートページの形で製作することにより、前記サービスシステム１０以外にも、前記テンプレートページからなる生成用および管理用Ｗｅｂページ２２を提供する多数のＷｅｂサービスシステム２０をさらに含んで構成できる。すなわち、特定のＷｅｂサイトの特定のＷｅｂページに容易に挿入できるテンプレートページの特性を用いて、サービスシステム１０は前記生成用および管理用Ｗｅｂページ２２を多数のＷｅｂサービスシステム、例えばＧｏｏｇｌｅまたはＹａｈｏｏなどのポータルサービス業者などに、当該サービスのための別途のシステム構成または既存システムの修正なしでも容易に提供することができる。
【００４０】
上述したように、サービスシステム１０では、多数のＷｅｂサービスシステム２０に、前記テンプレートページからなる生成および管理用Ｗｅｂページ２２を提供して、当該Ｗｅｂサービスシステム２０に接続したユーザーを対象としてユーザー定義ソフトホーンサービスを提供することができる。また、提供されたサービスから発生する収益をサービスシステム１０と当該Ｗｅｂサービスシステム２０が分配する。よって、前記サービスシステム１０では多数のＷｅｂサービスシステム２０を介してユーザー定義ソフトホーンサービスを容易に拡張してより多くのユーザーを顧客にすることができ、当該Ｗｅｂサービスシステム２０では別途のシステム開発なしでも付加的な収益を期待することができる。
【００４１】
前記インターネット電話サービスシステムを用いてユーザー定義ソフトホーンを生成する過程は、次のとおりである。
【００４２】
図３を参照すると、生成者は、サービスシステム１０またはＷｅｂサービスシステム２０から提供される生成用Ｗｅｂページ１２、２２に接続してユーザー定義ソフトホーンを生成するための各種情報を次のように入力する。
【００４３】
まず、生成者は、新しく生成するユーザー定義ソフトホーンのファイル名を設定し（Ｓ１１０）、そのユーザー定義ソフトホーンの受信者を設定する。すなわち、ユーザー定義ソフトホーンのユーザーが生成者に対してのみ電話通話／ＳＭＳ伝送を行うことができるように電話通話およびＳＭＳ受信者を生成者に制限することができ（Ｓ１２０）。このような場合、受信される生成者の電話番号を入力する（Ｓ１２２）。この際、生成者は、前記受信電話番号がユーザー定義ソフトホーンの外部ディスプレイに表示されるように設定することもできるが、受信電話番号の代わりに特定のメッセージがユーザー定義ソフトホーンの外部ディスプレイに表示されるように設定することもできる。これは生成者の電話番号が無分別に露出することを防止するためである。
【００４４】
または、ユーザー定義ソフトホーンのユーザーが誰に対してでも電話通話／ＳＭＳ伝送を行うことができるように受信者を制限しないこともできるが（Ｓ１２４）、このような場合には、生成者も自分が生成したユーザー定義ソフトホーンを利用することができる。
【００４５】
また、生成者は、ユーザー定義ソフトホーンの機能を選択することもできる（Ｓ１３０）。すなわち、生成者は、ユーザー定義ソフトホーンの電話通話機能とＳＭＳ機能の中から少なくとも一つを選択する。例えば、ユーザー定義ソフトホーンに対して、ユーザーが電話通話のみを利用できるように、或いはＳＭＳ機能のみを利用できるように、或いは電話通話およびＳＭＳを利用できるように設定することができる。
【００４６】
生成者は、自分が生成したユーザー定義ソフトホーンからかかってくる電話を受信するとき、当該ユーザー定義ソフトホーンの電話番号として表示される発信番号を指定して入力することができる（Ｓ１３２）。これは、多数のユーザー定義ソフトホーンを生成した生成者が、自分にかかってくるユーザー定義ソフトホーンの発信番号によって各ユーザー定義ソフトホーンを区分することができるようにするためである。
【００４７】
生成者は、ユーザー定義ソフトホーンの利用を制限するためのパスワードを設定することができる（Ｓ１３４）。もし生成者がユーザー定義ソフトホーンのパスワードを設定すると、ユーザーは、ユーザー定義ソフトホーンを実行する過程でパスワードを入力しなければ、当該ユーザー定義ソフトホーンを利用することができなくなる。これは、当該ユーザー定義ソフトホーンが所望しないユーザーによって使用されることを防止し、或いはＷｅｂを介して不特定多数に露出できるユーザー定義ソフトホーンに対してパスワードを知っている特定のユーザーのみが前記ユーザー定義ソフトホーンを使用することを可能にするためである。一方、前記で設定したユーザー定義ソフトホーンの発信番号をそのユーザー定義ソフトホーンのパスワードとして設定してもよく、別途のパスワードを入力する方式によって使用してもよい。また、パスワードの設定は、生成者の選択事項であって、省略してもよい。
【００４８】
続いて、図５および図６に示すように、生成者は、ＰＣ画面に表示されるユーザー定義ソフトホーンの外部ディスプレイ構成を設定することができる（Ｓ１３６）。このようなユーザー定義ソフトホーンの外部ディスプレイ構成には、ＰＣ画面に表示されるユーザー定義ソフトホーンの外形を形成するボディと、興味または面白さを誘発するためのフラッシュコン(flashcon)、特定の写真またはイメージが挿入されるイメージフレームと、生成者がユーザーに伝達しようとするメッセージが挿入されるメッセージフレームなどが含まれる。そして、生成者は、前記イメージフレームに挿入される写真またはイメージを設定し、メッセージフレームに挿入されるメッセージを入力する。
【００４９】
また、生成者は、前記ユーザー定義ソフトホーンのディスプレイ構成のうち少なくとも一つに特定のＷｅｂページがリンクされるように設定することもできる。例えば、生成者がフラッシュコンに自分のホームページをリンクさせた場合、ユーザーが前記ユーザー定義ソフトホーンを利用しながらフラッシュコンをクリックすると、直ちに生成者のホームページへ移動する。
【００５０】
また、本発明は、前記で定義したフラッシュコン、イメージフレームおよびメッセージフレーム以外にも、さらに様々な静的または動的イメージ、動画像、音楽などを用いて、ユーザー定義ソフトホーンの外部ディスプレイをより様々に構成することが可能な環境を提供することができる。このようにユーザー定義ソフトホーンの外部ディスプレイが様々に構成できるのは、ユーザー定義ソフトホーンのＵＩディスプレイ部がフラッシュとして製作されるためである。
【００５１】
最後に、生成者はユーザー定義ソフトホーンの生成費用および通話費用を決済する（Ｓ１３８）。
【００５２】
これらの過程は、生成者が生成用Ｗｅｂページを介してユーザー定義ソフトホーンの生成のための情報を入力する過程であり、このように入力されたユーザー定義ソフトホーンの生成情報を用いてサービスシステム１０で新規のユーザー定義ソフトホーンを生成する。
【００５３】
まず、生成者が入力したユーザー定義ソフトホーンの生成情報はＤＢ１５に格納される（Ｓ１４０）。生成サーバー１３は、前記入力されたユーザー定義ソフトホーンの生成情報に基づいて新規のユーザー定義ソフトホーンを生成する（Ｓ１４２）。
【００５４】
新しく生成されたユーザー定義ソフトホーンの実行のための各種情報もＤＢ１５に格納され（Ｓ１４４）、生成サーバー１３で生成されたユーザー定義ソフトホーンの実行ファイルは格納サーバー１４に格納されることにより、ユーザー定義ソフトホーンの生成が完了する（Ｓ１５０）。
【００５５】
前記で生成されたユーザー定義ソフトホーンを修正する過程は次のとおりである。
【００５６】
図４を参照すると、生成者は、サービスシステム１０またはＷｅｂサービスシステム２０から提供する管理用Ｗｅｂページ１２、２２に接続し、自分が生成したユーザー定義ソフトホーンの生成情報をＤＢ１から持ってきた後、当該生成情報を変更することにより、自分のユーザー定義ソフトホーンを修正することができる（Ｓ２００）。
【００５７】
生成者は、自分が生成したユーザー定義ソフトホーンのファイル名を修正することができ（Ｓ２１０）、受信者を新しく設定することもできる（Ｓ２２０）。また、生成者は、ユーザー定義ソフトホーンの受信番号、発信番号およびパスワードを変更することもできる（Ｓ２３０、Ｓ２４０、Ｓ２５０）。
【００５８】
また、生成者は、ユーザー定義ソフトホーンの外部ディスプレイ構成を修正することもできる（Ｓ２６０）。すなわち、生成者は、ユーザー定義ソフトホーンのボディ、フラッシュコン、イメージフレームおよびメッセージフレームを変更することができ、前記イメージフレームおよびメッセージフレームに挿入されるイメージおよびメッセージを修正することができる。
【００５９】
また、生成者は、ユーザー定義ソフトホーンにさらに所定の金額をチャージすることもできるが（Ｓ２７０）、もしユーザー定義ソフトホーンに所定の金額をチャージし或いは前記で有料の外部ディスプレイ構成を購入した場合には、該当金額を決済しなければならない（Ｓ２７２）。
【００６０】
このように生成者が管理用Ｗｅｂページ１２、２２を介して入力するユーザー定義ソフトホーンの修正情報に基づいて、ＤＢ１５に格納された該当ソフトホーンの実行環境情報がアップデートされ（Ｓ２８０）、格納サーバー１４に格納されたユーザー定義ソフトホーンの実行ファイルも新しく修正された情報にアップデートされる（Ｓ２９０）。前記実行環境情報がアップデートされるとき、ユーザー定義ソフトホーンのバージョン情報も変更される。
【００６１】
したがって、生成者が既に生成して配布したユーザー定義ソフトホーンに対して修正を行う場合にも、当該ユーザー定義ソフトホーンを使用するユーザーがそのユーザー定義ソフトホーンを実行するとき、ＵＲＬ処理部が前記新しいバージョンにアップデートされた実行環境情報を呼び出して処理するので、生成者は修正したユーザー定義ソフトホーンに対して別途の配布などの過程が不要であり、ユーザーは、修正されたユーザー定義ソフトホーンを利用するための別途の過程なしでも、常に新しくアップデートされたユーザー定義ソフトホーンを利用することができる。
【００６２】
図７には本発明に係るユーザー定義ソフトホーンの獲得および使用のためのインターネット電話サービスシステムが示されており、図８および図９には本発明に係るユーザー定義ソフトホーンの獲得および使用過程がそれぞれ示されている。
【００６３】
図１０および図１１には本発明に係るユーザー定義ソフトホーンの獲得過程を示す画面が示されており、図１２には本発明に係るユーザー定義ソフトホーンのＷｅｂページ挿入状態が示されている。
【００６４】
図７および図８を参照すると、生成者がサービスシステム１０からユーザー定義ソフトホーンをダウンロードする過程は、次のとおりである。
【００６５】
生成者は、サービスシステム１０またはＷｅｂサービスシステム２０の管理用Ｗｅｂページ１２、２２に接続し、自分が生成したユーザー定義ソフトホーンを獲得することができるが（Ｓ３００）、この際、図１０に示すように、実行ファイルの形でダウンロードすることもでき（Ｓ３１０）、或いは前記ユーザー定義ソフトホーンの実行環境情報をリソースとするＵＲＬコードを獲得することもできる（Ｓ３２０）。
【００６６】
第一に、生成者がユーザー定義ソフトホーンの実行ファイルをダウンロードする場合について考察する（Ｓ３１０）。このような生成者の実行ファイルダウンロードは管理用Ｗｅｂページを介してなされる。
【００６７】
この場合、生成者は、ユーザー定義ソフトホーンを構成する実行環境情報、ＵＩディスプレイ部およびプラグインエンジンが全て一つのファイルに含まれているフルタイプの実行ファイルをダウンロードすることもでき、或いは実行環境情報およびＵＩディスプレイ部を除いてプラグインエンジンのみをプラグインダウンロードサーバー１６からダウンロードすることもできる（Ｓ３１２）。この際、各実行ファイルのＵＲＬ処理部には、当該ユーザー定義ソフトホーンに対する実行環境情報を呼び出すことが可能なＵＲＬ情報が含まれている。但し、サービスシステム１０は、自体的にフルタイプの実行ファイルとプラグインエンジンのいずれか一つのみを提供するように設定できる。
【００６８】
生成者がユーザー定義ソフトホーンの実行ファイルをダウンロードすることと選択した場合、図１１に示すように、管理用Ｗｅｂページにはユーザー定義ソフトホーンの実行ファイルを開くためのダウンロードＵＲＬが表示される。ここで、前記ダウンロードＵＲＬは、前記で設定されたフルタイプの実行ファイルとプラグインエンジンのうちいずれか一つをリソースとする。この際、生成者は、前記ダウンロードＵＲＬの「開く」をクリックして実行ファイルを自分のＰＣにダウンロードし、或いはダウンロードＵＲＬの実行をクリックして実行ファイルを開いて直ちにユーザー定義ソフトホーンを実行させることもできる（Ｓ３１３）。また、生成者は、前記ダウンロードＵＲＬを開かずに、そのダウンロードＵＲＬをコピーする方式で獲得することもできる（Ｓ３１４）。
【００６９】
生成者は、自分のＰＣに格納された実行ファイルまたは獲得したダウンロードＵＲＬを特定のＷｅｂサイト３２にアップロードしてユーザーがダウンロードし得るようにし、或いは電子メールやメッセンジャーなどに添付してユーザーに伝送することができる（Ｓ３１８）。
【００７０】
第二に、生成者がユーザー定義ソフトホーンの実行環境情報をリソースとするＵＲＬコードを獲得する場合について考察する（Ｓ３２０）。この際、図１０に示すように、生成者が獲得するＵＲＬコードは、イメージコード、デキストコードおよびＨＴＭＬコードのいずれか一つからなる（Ｓ３２２）。このようなＵＲＬコードの獲得は、管理用Ｗｅｂページから提供する当該ＵＲＬコードをコピーする方式で行われる。
【００７１】
ここで、前記ＵＲＬコードには、サービスシステム１０のＤＢ１５に格納され、実行ファイルの構成および実行のための全ての情報が含まれる実行環境情報を呼び出すことが可能なＵＲＬ情報が含まれる。前記イメージコードおよびテキストコードは、特定のイメージおよびテキストに前記ＵＲＬコードがリンクされる方式で行われる。
【００７２】
図１２に示すように、生成者は、自分が所望する特定のＷｅｂサイト３２から提供するＷｅｂページ（電子メール、ブログ、ショッピングモール、ホームページなど）および文書などに前記ＵＲＬコードを挿入し、或いはハイパーリンクをかけて使用することができる（Ｓ３２４）。
【００７３】
一方、前記ＵＲＬコードを介してユーザー定義ソフトホーンを利用するためには、ユーザーのＰＣにプラグインエンジンが設置されなければならない。この際、前記プラグインエンジンには、該当ユーザー定義ソフトホーンの実行環境情報をリソースとするＵＲＬ情報が含まれていない。
【００７４】
ユーザーが前記ＵＲＬコードをクリックすると、そのＵＲＬコードは、ユーザーのＰＣにプラグインエンジンが設置されているかを確認する。もしプラグインエンジンが設置されていない場合には、ユーザーのＰＣにサービスシステム１０のプラグインダウンロードサーバー１６からプラグインエンジンをダウンロードして設置する。このようにユーザーのＰＣに一度だけプラグインエンジンが設置されると、ユーザー定義ソフトホーンの種類を問わず、前記設置されたプラグインエンジンをそのまま使用することができる。
【００７５】
ユーザーが前記ＵＲＬコードをクリックすると、ＵＲＬコードは、ユーザーのＰＣに設置されたプラグインエンジンのＵＲＬ処理部に、該当ユーザー定義ソフトホーンの実行環境情報を呼び出すことが可能なＵＲＬ情報を伝送する。前記ＵＲＬ処理部が、その入力されたＵＲＬ情報に基づいて実行環境情報を呼び出して処理することにより、ユーザー定義ソフトホーンが実行できる。
【００７６】
このように前記で定義したフルタイプの実行ファイルの形ではなく、全てのユーザーが共通に使用するプラグインエンジンを只１回の設置過程によってユーザーのＰＣに設置し、前記ＵＲＬコードをクリックしたとき、ＵＲＬコードに含まれている該当ユーザー定義ソフトホーンの実行環境情報をリソースとするＵＲＬ情報を前記プラグインエンジンに伝送する方法を用いて、ユーザー定義ソフトホーンを実行する場合、ユーザー定義ソフトホーンを実行するためにさらに該当ユーザー定義ソフトホーンの実行環境情報のみを必要とするから、速い伝送および実行が行われるという利点がある。
【００７７】
図７および図９を参照すると、本発明に係るユーザー定義ソフトホーンを用いる過程は次のとおりである。
【００７８】
まず、ユーザーがユーザー定義ソフトホーンの実行ファイルを用いる場合について考察する（Ｓ４１０）。すなわち、生成者が直接自分のＰＣにダウンロードしたユーザー定義ソフトホーンの実行ファイルを利用することもでき、図７の実線で示すように、ユーザーが生成者から電子メールなどの方法でユーザー定義ソフトホーンの実行ファイルの伝送を受けて利用することもできる。
【００７９】
ユーザーがフルタイプの実行ファイル形態のユーザー定義ソフトホーンを用いる場合（Ｓ４２０）、ユーザーが前記フルタイプの実行ファイルをクリックすると（Ｓ４２２）、そのフルタイプの実行ファイルのＵＲＬ処理部は、前記フルタイプの実行ファイルに含まれた実行環境情報のバージョンと、サービスシステム１０のＤＢ１５に格納された実行環境情報のバージョンとを比較する（Ｓ４２４）。もし前記バージョンが互いに一致すれば（Ｓ４２６）、直ちにフルタイプの実行ファイルが実行されながらインターネット電話通話が可能になる（Ｓ４６０）。
【００８０】
もし前記バージョンが互いに一致しなければ（Ｓ４２６）、ユーザーのＰＣに設置されたフルタイプの実行ファイルの実行環境情報が、サービスシステム１０のＤＢ１５に格納された実行環境情報にアップデートされた後（Ｓ４２８）、フルタイプの実行ファイルが実行されながらインターネット電話通話が可能になる（Ｓ４６０）。
【００８１】
ユーザーがプラグインエンジン形態のユーザー定義ソフトホーンを用いる場合（Ｓ４３０）、ユーザーがプラグインエンジンをクリックすると（Ｓ４３２）、そのプラグインエンジンのＵＲＬ処理部が、そのＵＲＬ処理部に既に記録されているＵＲＬ情報を介して該当ユーザー定義ソフトホーンの実行環境情報をサービスシステム１０のＤＢ１５から呼び出して処理することにより（Ｓ４３４）、該当ユーザー定義ソフトホーンを用いたインターネット電話通話が可能になる（Ｓ４６０）。
【００８２】
もしユーザー定義ソフトホーンの実行ファイルをリソースとするダウンロードＵＲＬの場合（Ｓ４４０）、ユーザーが前記ダウンロードＵＲＬをクリックして実行ファイルを直接実行し、或いはダウンロードした後で実行させる（Ｓ４４２）。この際、前記ダウンロードＵＲＬのリソースがフルタイプの実行ファイルの場合には、直ちにソフトホーンが実行される。ダウンロードＵＲＬのリソースがプラグインエンジンの場合には、サービスシステム１０から実行環境情報を呼び出して処理した後、ユーザー定義ソフトホーンが実行される。このようにダウンロードＵＲＬを用いる場合には、実行ファイルがサービスシステム１０からダウンロードされて実行されるので、別途に実行ファイルのアップデートを必要としない。
【００８３】
次に、ユーザーが、ユーザー定義ソフトホーンの実行環境情報をリソースとするＵＲＬコードを用いる場合について考察する。すなわち、図７の破線で示すように、生成者が、特定のＷｅｂサイト３２によって提供されるＷｅｂページに、ユーザー定義ソフトホーンの実行環境情報をリソースとするＵＲＬコードを挿入／リンクさせると、ユーザーが該当Ｗｅｂページに接続し、リンクされたＵＲＬコードをクリックすることにより、ユーザー定義ソフトホーンを使用することができる。これについてさらに詳しく説明すると、次のとおりである。
【００８４】
ユーザーが、Ｗｅｂページ上にリンクされたＵＲＬコードをクリックすると（Ｓ４５０）、ユーザーのＰＣにプラグインエンジンが設置されているかを確認する（Ｓ４５２）。もしユーザーのＰＣにプラグインエンジンが設置されていない場合（Ｓ４５２）、前記ＵＲＬコードはユーザーのＰＣがサービスシステム１０のプラグインダウンロードサーバー１６からプラグインエンジンをダウンロードして設置するようにする（Ｓ４５４）。
【００８５】
前記ＵＲＬコードは、ユーザーのＰＣに設置されたプラグインエンジンのＵＲＬ処理部に、該当ユーザー定義ソフトホーンの実行環境情報を呼び出すことが可能なＵＲＬ情報を伝達する（Ｓ４５６）。前記ＵＲＬ情報の伝達を受けたプラグインエンジンが、該当ＵＲＬ情報に基づいて、サービスシステム１０に格納されたユーザー定義ソフトホーンの実行環境情報を呼び出して処理する（Ｓ４５８）。よって、当該ユーザー定義ソフトホーンが実行される（Ｓ４６０）。
【００８６】
一方、前記ユーザー定義ソフトホーンの実行ファイルまたはＵＲＬコードにパスワードが設置されている場合には、ユーザーが実行ファイルまたはＵＲＬコードを開く瞬間、パスワードを入力しないというメッセージ窓が現れ、ユーザーが適切なパスワードを入力した場合にのみその実行ファイルおよびＵＲＬコードが実行される。
【００８７】
ユーザーが実行ファイルまたはＵＲＬコードを実行させると、ユーザー定義ソフトホーンの実行環境情報に含まれている情報を用いて、図５および図６に示すように、ユーザーのＰＣ画面にユーザー定義ソフトホーンのディスプレイ構成が表示される。前記ユーザー定義ソフトホーンに対するログイン情報を含んで、通話およびＳＭＳ利用のための課金情報など、当該ユーザー定義ソフトホーンを利用するための全ての情報がユーザー定義ソフトホーンの実行環境情報に含まれているので、ユーザーは別途の会員加入過程およびログイン過程を経る必要がない。
【００８８】
一方、ユーザーは、前記ユーザー定義ソフトホーンを用いてインターネット電話通話を行うこともでき、或いはヘッドセットなどがなくて電話通話が困難な場合にはユーザー定義ソフトホーンを用いてＳＭＳ文字メッセージ機能を利用することもできる。
【００８９】
以上の説明において、本発明は、特定の実施例に関連して図示および説明したが、特許請求の範囲によって現れた発明の思想および領域から逸脱しない範囲内において、当該分野における通常の知識を有する者であれば、様々な改造および変更を加え得ることは自明であろう。
【産業上の利用可能性】
【００９０】
上述したように、本発明に係るユーザー定義ソフトホーンを用いたインターネット電話サービスシステムおよびその方法によれば、本発明に係るサービスシステムから提供するユーザー定義ソフトホーンを製作する方式を用いて、生成者は、自分のみの様々な設定（通話設定、ＵＩ設定など）を介して最も容易且つ速く自分が直接ユーザー定義ソフトホーンを製作することができ、生成されたユーザー定義ソフトホーンを電子メールやメッセンジャーなどを用いて実行ファイルの形でユーザーに直接伝送することもでき、或いはＷｅｂページリンク、文書上におけるハイパーリンクなどの様々な方法によって、自分が生成したユーザー定義ソフトホーンを他のユーザーが使用し得るように配布することができるうえ、生成者自身が直接使用することもできる。
【００９１】
また、本発明によれば、生成者は、ユーザー定義ソフトホーンを製作する過程でユーザー定義ソフトホーンの利用範囲設定および機能設定によって生成者の要求および用途に応じて、様々な形態および機能のユーザー定義ソフトホーンを製作することができる。
【００９２】
また、本発明によれば、生成者によって所定の金額がチャージされたユーザー定義ソフトホーンを利用するユーザーは、受信者負担方式でインターネット電話通話を行う効果を得ることができる。
【００９３】
また、本発明によれば、ユーザー定義ソフトホーンを使用するユーザーは、別途の会員加入過程およびＩＤ、パスワードの入力によるログイン過程が不要である。
【００９４】
また、本発明によれば、ユーザー定義ソフトホーンの実行のための各種情報がサービスシステムに格納されているので、生成者は、生成されたユーザー定義ソフトホーンに対しても容易に修正することができ、修正された内容を新しく反映するために別途のユーザー定義ソフトホーン配布過程を必要とせず、ユーザーも、別途の過程なしで、生成者が修正したユーザー定義ソフトホーンを利用することができる。
【００９５】
また、本発明によれば、利用範囲を生成者自身に限定したユーザー定義ソフトホーンを多数のユーザーが利用し得るようにすることにより、生成者はチャージされた金額の範囲内で多数のユーザーに営業／マーケティング／広報活動を経済的に行うことができる。
【００９６】
また、本発明によれば、生成者によって設定された様々な写真、アイコン、メッセージなどがユーザー定義ソフトホーンに結合されてユーザーのＰＣ画面に表示されるように設定することにより、生成者は様々な方式でユーザーに営業／マーケティング／広報活動を効率よく行うことができる。
【符号の説明】
【００９７】
１０        サービスシステム
１１        Ｗｅｂサーバー
１２、２２  Ｗｅｂページ
１３        生成サーバー
１４        格納サーバー
１５        ＤＢ
１６        プラグインダウンロードサーバー
１７        通信システム
２０        Ｗｅｂサービスシステム
【図１】
2010523038.tif 000003
【図２】
2010523038.tif 000004
【図３】
2010523038.tif 000005
【図４】
2010523038.tif 000006
【図５】
2010523038.tif 000007
【図６】
2010523038.tif 000008
【図７】
2010523038.tif 000009
【図８】
2010523038.tif 000010
【図９】
2010523038.tif 000011
【図１０】
2010523038.tif 000012
【図１１】
2010523038.tif 000013
【図１２】
2010523038.tif 000014
【国際調査報告】
2010523038.tif 000015
2010523038.tif 000016